(57)【特許請求の範囲】
【請求項１】
室外に設置されている熱源器から延長する一対の温水パイプが壁に貫通させた貫通孔を介してそれぞれ接続される一対の外配管接続筒部と、前記外配管接続筒部にそれぞれ連通すると共に室内に設置される放熱器から延長される一対の温水ホースの先端部が取り外し自在に接続可能な一対の内配管接続筒部と、
前記外配管接続筒部と前記内配管接続筒部とが収容され且つ室内側壁面又は床面に設置されるケース体とからなる温水コンセントにおいて、
前記ケース体は、背面が前記壁面又は床面上に添設固定されると共に、
前記ケース体には、前記外配管接続筒部の先端が対向し且つ前記温水パイプが挿通可能な第１開口と、前記内配管接続筒部の先端が対向し且つ前記温水ホースの先端部が差込可能な第２開口とが形成されていることを特徴とする温水コンセント。
【請求項２】
請求項１に記載の温水コンセントにおいて、前記温水パイプは、それぞれ、前記熱源器から延長し且つ前記貫通孔に挿通される銅管と、一端が前記銅管の先端に室内側で接続されると共に他端が前記外配管接続筒部に接続される可撓管とから構成されている温水コンセント。
【請求項３】
請求項２に記載の温水コンセントにおいて、前記可撓管は蛇腹管からなる保護具内に２本同時に収容されていると共に、前記保護具には、室内側壁面又は床面に固定させるための固定手段が具備されている温水コンセント。
【請求項４】
請求項２又は３に記載の温水コンセントにおいて、前記可撓管は、ゴム管とすると共に、前記外配管接続筒部及び前記銅管の先端はそれぞれホースエンド部とした温水コンセント。
【請求項５】
請求項１から４のいずれかに記載の温水コンセントにおいて、前記温水ホースの先端には、前記温水ホースに連通し且つ前記内配管接続筒部に脱着自在に接続可能な一対のプラグ筒部と、前記プラグ筒部の先端が露出するように前記プラグ筒部の周囲を包囲する包囲筒が突設されたケーシングとからなるプラグ体が装着されていると共に、
前記第２開口は、前記包囲筒が挿入可能な大きさ形状に形成されている温水コンセント。
【発明の詳細な説明】
【０００１】
【発明の属する技術分野】
本発明は、温水コンセント、特に、室内側壁面又は床面に設置されて、熱源器と放熱器との間の温水循環回路を接続させる温水回路接続具を構成する温水コンセントに関するものである。
【０００２】
【従来の技術】
一般に、室外に設置される熱源器(20)と、ファンヒータや床暖房器等としての室内に設置される放熱器(2)とは、図５に示すように、往路(21)(31)及び復路(22)(32)からなる温水循環回路によって接続されており、放熱器(2)の近傍の壁面(W)には上記二回路を接続させる温水回路接続具(3)が設けられる。
【０００３】
前記接続具(3)は、壁面(W)に設置される温水コンセント(3a)と、これに取り外し自在に接続されるプラグ(3b)とからなり、前記温水コンセント(3a)と前記熱源器(20)とは往路(31)及び復路(32)からなる一対の温水パイプで接続されており、前記プラグ(3b)と放熱器(2)とは、往路(21)及び復路(22)からなる一対の温水ホースを介して接続されている。
【０００４】
このものでは、前記温水コンセント(3a)にプラグ(3b)を接続すると、前記温水パイプ及び温水ホースを介して熱源器(20)と放熱器(2)とが接続され、熱源器(20)と放熱器(2)との間で温水が循環する。
尚、室外側の温水パイプとしては一般に銅管が用いられ、室内側の温水ホースとしては柔軟性のあるゴムホース等が採用されている。
【０００５】
温水コンセント(3a)は、室内側の温水パイプの往路(21)及び復路(22)の先端に装着させた前記プラグ(3b)を接続させる一対のプラグ接続筒部（図示せず）と、室外側の温水ホースを構成する往路(31)及び復路(32)が接続する配管接続筒部（図示せず）とを具備するコンセント本体(30)が壁(W)に形成した貫通孔(H)内に嵌め込まれた状態で設置され、前記温水パイプ及びプラグ(3b)の接続は、前記貫通孔(H)内で行われる構成となっている。
【０００６】
又、温水コンセント(3a)の一部分を貫通孔(H)内に嵌め込まずに、コンセント本体を内蔵させたケース体(33)を室内側壁面(W)に添設状態に取付けるようにしたものとして、図６に示すものがある。（特許文献１参照。）このものでは、室外側の一対の往路(31)と復路(32)からなる温水パイプ(P1)と電源コード(34)や制御信号ケーブル(35)等がスリーブ(36)によって結束されていると共に、このスリーブ(36)を貫通孔(H)内に挿通させて、前記温水パイプ(P1)の配管接続筒部(37)への接続や他の電源等の接続は室内で行える構成となっている。前記配管接続筒部(37)は前記温水コンセント(3a)内に水平方向に設けられているため、これに貫通孔(H)を水平方向に直進してくる往路(31)及び復路(32)を接続させるためには、温水コンセント(3a)のケース体(33)は、壁面(W)上における貫通孔(H)の開放端部を覆うように設置されなければならない。
【０００７】
【特許文献１】
実公平５−３４３９４号公報
【特許文献２】
特開平１０−３１８５４６号公報
【０００８】
【発明が解決しようとする課題】
このように、従来の温水コンセント(3a)は、コンセント本体(30)を貫通孔(H)内に嵌め込んだ状態で取付けられているものも、コンセント本体(30)を内蔵させたケース体(33)を壁面(W)に添設させた状態で取付けられているものも、室外側の温水回路等を挿通させるための貫通孔(H)を別途形成しなければならない。よって、エアコン等の設置状況の関係で、壁面(W)に複数の穴が形成されてしまうことがあり、外観上好ましくない上に、一つの壁面に２個以上の貫通孔を形成したくない箇所には、温水コンセントを設置することができないという問題がある。
【０００９】
又、従来の温水コンセントでは、貫通孔(H)の開放端部を覆うように設置されなければならないため、貫通孔(H)の形成位置によって、温水コンセントの設置位置が決定されてしまい、放熱器の設置場所との関係においては好ましくない位置に温水コンセントを設置させなければならないといった問題も生じる。
【００１０】
本発明は、『室外に設置されている熱源器から延長する一対の温水パイプが壁に貫通させた貫通孔を介してそれぞれ接続される一対の外配管接続筒部と、
前記外配管接続筒部にそれぞれ連通すると共に室内に設置される放熱器から延長される一対の温水ホースの先端部が取り外し自在に接続可能な一対の内配管接続筒部と、
前記外配管接続筒部と前記内配管接続筒部とが収容され且つ室内側壁面又は床面に設置されるケース体とからなる温水コンセント』において、貫通孔の位置に影響されることなく、ケース体を壁面又は床面の任意な位置に設置することができるようにすることを課題とする。
【００１１】
【課題を解決するための手段】
＊１項
上記課題を解決するための本発明の技術的手段は、『前記ケース体は、背面が前記壁面又は床面上に添設固定されると共に、
前記ケース体には、前記外配管接続筒部の先端が対向し且つ前記温水パイプが挿通可能な第１開口と、前記内配管接続筒部の先端が対向し且つ前記温水ホースの先端部が差込可能な第２開口とが形成されていること』ことである。
【００１２】
上記技術的手段は次のように作用する。
ケース体は、その背面を壁面又は床面に添設させる態様で取付ける構成としたから、貫通孔の開放位置とは無関係に、壁面又は床面の所望の箇所にケース体を取付けることができる。温水パイプは、前記貫通孔から室内側に引き出された後、ケース体の第１開口を介して前記ケース体内に挿入され、外配管接続筒部に接続されることとなる。又、放熱器を使用する際には、温水ホースを前記第２開口に挿通させて内配管接続筒部に接続させればよく、放熱器の不使用時には、温水ホースを内配管接続筒部から取り外しておく。
【００１３】
＊２項
１項において、『前記温水パイプは、それぞれ、前記熱源器から延長し且つ前記貫通孔に挿通される銅管と、一端が前記銅管の先端に室内側で接続されると共に他端が前記外配管接続筒部に接続される可撓管とから構成されている』ものでは、熱源器からは銅管が延長しており、これを、既設又は新規の貫通孔に室外から挿通させた後、室内で可撓管に接続させる。これにより、温水パイプは、室外側においては銅管が延長し、前記貫通孔から室内側へは可撓管が延長する態様となる。前記可撓管は所定の方向に容易に屈曲させることができるから、前記貫通孔の開口位置、前記ケース体の壁面又は床面への取付け位置、さらには、前記ケース体の第１開口の開口方向に関わらず、前記可撓管を所望の方向に屈曲させて前記第１開口から外配管接続筒部に接続させることができる。
【００１４】
＊３項
２項において、『前記可撓管は蛇腹管からなる保護具内に２本同時に収容されていると共に、前記保護具には、室内側壁面又は床面に固定させるための固定手段が具備されている』ものでは、貫通孔から室内には保護具によって被覆された状態で可撓管が延長する態様となる。前記保護具は蛇腹管から構成されているから屈曲自在であり、所定の方向に屈曲させることができる。前記保護具を所定の方向に屈曲させた状態にて、前記固定手段を利用して壁面又は床面に固定させることができる。
【００１５】
＊４項
２項又は３項において、『前記可撓管は、ゴム管とすると共に、前記外配管接続筒部及び前記銅管の先端はそれぞれホースエンド部とした』ものでは、前記可撓管の両端は、前記銅管及び温水コンセント内の前記外配管接続筒部にそれぞれ外嵌させると共に、ゴム管止めによって固定させることができる。
【００１６】
＊５項
上記各項において、『前記温水ホースの先端には、前記温水ホースに連通し且つ前記内配管接続筒部に脱着自在に接続可能な一対のプラグ筒部と、前記プラグ筒部の先端が露出するように前記プラグ筒部の周囲を包囲する包囲筒が突設されたケーシングとからなるプラグ体が装着されていると共に、
前記第２開口は、前記包囲筒が挿入可能な大きさ形状に形成されている』ものでは、前記温水ホースの先端に、プラグ筒部とケーシングからなる従来のものと同じ構成のプラグ体が装着される構成となっており、ケース体の第２開口は、前記プラグ筒部を包囲している包囲筒が挿通可能な大きさ形状に設定されていることから、前記包囲筒をケース体の第２開口に差し込んで、プラグ筒部を内配管接続筒に接続させれば良い。
【００１７】
【発明の効果】
本発明は、上記構成であるから次の特有の効果を有する。
ケース体の設置場所が貫通孔の形成位置に影響されないので、ケース体を壁面又は床面の所望の位置に設置することができる。よって、貫通孔の開口位置に関わらず、放熱機との関係において使い勝手の良い箇所に温水コンセントを設置することができる。又、ケース体を固定させるためのスリーブを貫通孔内に設ける必要がないから、貫通孔としては、２本の温水パイプ（銅管）が挿通可能な余裕があればよく、例えば、エアコン取付け用の穴等の既存の貫通孔を利用することが可能となる。よって、配管用穴を２箇所以上開けることができない箇所にでも、温水コンセントを設置することができる。又、貫通孔からケース体の設置位置まで温水パイプが室内側の壁面又は床面に沿って延長される態様となるから、前記温水パイプからも周囲に熱が発散されることとなり、この熱も暖房に寄与させることができる。
【００１８】
２項においては、貫通孔から室内に延長させる温水パイプは可撓管製としたから、所望の方向に屈曲自在となり、ケース体の取付け位置に関わらず、外配管接続接続筒部に温水パイプを容易に接続させることができるといった効果がある。
【００１９】
３項においては、上記効果に加えて、室内に延長させた可撓管を見苦しくなく且つ邪魔になることなく、室内に配設することができるという効果がある。又、固定手段を複数の蛇腹管の境界部分に設けるようにすれば、前記固定手段を蛇腹管相互の継ぎ目を隠蔽させることができるので、美観が一層向上する。
【００２０】
４項においては、可撓管をゴム管としたため、銅管との接続及び温水コンセント内の外配管接続筒との接続及び取外しが容易となり、温水パイプ及び温水コンセントのメンテナンスが容易となる。
【００２１】
５項においては、上記各効果に加えて、従来の一般的な温水プラグを接続させて使用することができるといった効果がある。
【００２２】
【発明の実施の形態】
次に、上記した本発明の実施の形態を図面に従って詳述する。
図１は、本願発明の実施の形態における温水コンセント(1)の分解斜視図であり、図２は、室内側壁面(W)に前記温水コンセント(1)を添設固定させると共に、温水コンセント(1)にプラグ体(4)を接続させた状態を示す断面図である。
【００２３】
この実施の形態の温水コンセント(1)は、壁面設置式のものとし、これに内蔵させるコンセント本体(10)に対してプラグ体(4)のプラグ筒部(23)(24)が接続される構成とする。
【００２４】
プラグ体(4)としては、従来のものと同じ構成のものが採用可能である。すなわち、放熱器(2)から延びる一対の往路(21)及び復路(22)からなる温水ホースの各々にプラグ筒部(23)(24)が連通接続され、前記プラグ筒部(23)(24)はケーシング(25)から前方に突出されていると共に、これら突出部分は包囲筒(26)によって包囲される態様となっている。
【００２５】
温水コンセント(1)は、図１及び図２に示すように、温水を加熱する加熱器(20)から延長する一対の室外側温水パイプの先端部に連通状態に接続されるコンセント本体(10)と、このコンセント本体(10)を収容するケース体(11)と、このケース体(11)の前方開放部を被覆するカバー板(12)とを具備する構成とする。
【００２６】
ケース体(11)は、壁面(W)にネジ止めにより添設固定可能な固定半体(11a)と、前記固定半体(11a)の前面を被覆すると共に前方に開放している被覆半体(11b)とから構成されており、両者を結合させたとき、ケース体(11)は上方に開放する上方開放部(51)と前方に開放する前方開放部(52)とを有する矩形の箱体が構成されるものとする。
【００２７】
カバー板(12)は、図１に示すように、被覆半体(11b)の前記前方開放部を閉塞するように、前記固定半体(11a)の所定位置に、ボルト(B)によってネジ止めされる構成となっている。前記カバー板(12)には、前記プラグ体(4)の包囲筒(26)が挿入可能な大きさ形状の開口(14)が形成されていると共に、開口(14)を含む所定範囲を被覆する為に、スライド式の蓋板(13)が備えられている。この蓋板(13)は上下にスライドするように構成されており、前記蓋板(13)の開状態で、プラグ体(4)の包囲筒(26)が開口(14)内に挿入され、プラグ筒部(23)(24)がコンセント本体(10)の温水接続筒(15)  (16)に装着される。
【００２８】
温水接続筒(15)(16)は、主体部(17)に、先端部が露出する態様でそれぞれ収容され、後端部に連通するように、ホースエンド部(18)(19)が前記温水接続筒(15)  (16)の流路に対して直角に接続されている。これにより、コンセント本体(10)内には、全体に略Ｌ字状の流路が形成されることとなる。尚、前記温水接続筒(15)  (16)が露出する前記主体部(13)の前方突出部は、開口(14)から露出する大きさ形状に設定されているものとする。
【００２９】
又、前記温水接続筒(15)(16)内には、図２に示すように、これら温水接続筒(15)(16)を開閉する為の弁体(27)が各々内蔵されている。これら温水接続筒(15)  (16)へのプラグ筒部(23)(24)の挿入に伴ってこれら弁体(27)とプラグ筒部(23)  (24)の弁体（図示せず）とが開弁し、温水接続筒(15)(16)を介してプラグ筒部(23)(24)と前記ホースエンド部(18)(19)とが連通することとなる。
【００３０】
又、図３に示すように、室外に設置されている熱源器(20)からは、往路(31)及び復路(32)を構成する一対の銅管(40)が延長されており、これら銅管(40)は２本まとめて断熱材(41)で被覆されていると共に、壁面(W)に形成されている貫通孔(H)に挿通される。
【００３１】
前記貫通孔(H)は、エアコンの電気コード等が挿通されている既設のものが利用可能であり、前記貫通孔(H)を通って室外から室内側へ送り込まれた前記銅管(40)の先端に、ホースエンド部(42)を装着させると共に、前記ホースエンド部(42)に前記ゴム管(28)(29)の一端を接続させ、ゴム管止めで止着する。
【００３２】
これにより、前記熱源器(20)から延長される温水パイプは、室外側では銅管(40)から構成されると共に、室内側で、ゴム管(28)(29)に変更される態様となり、前記ゴム管(28)(29)の他端は、図２に示したように、前記コンセント本体(10)のホースエンド部(18)(19)に接続されると共にゴム管止めで固定される。
尚、前記ゴム管(28)(29)は、２本まとめて蛇腹管(43)で被覆される構成となっており、蛇腹管(43)を被覆させた状態でも、室内側の温水パイプは可撓性を有するものとなる。
【００３３】
又、前記蛇腹管(43)には、所定の間隔毎に、図１及び図４に示すように、前記蛇腹管(43)を壁側からと室内側からとで挟持する一対の固定半体(44a)(44b)からなる固定具(44)が具備されており、壁側に位置させた一方の固定半体(44a)の背面は壁面(W)に固定することができるように設定されているものとする。尚、前記蛇腹管(43)は、ゴム管(28)(29)の長さに応じて複数個継ぎ足された状態で設けられており、前記固定具(44)を、前記蛇腹管(43)相互間の継ぎ目を隠すように具備させれば、前記固定具(44)を前記蛇腹管(43)の継ぎ目隠しとしても機能させることができる。
【００３４】
この実施の形態の温水コンセント(1)を設置について説明する。
まず、前記熱源器(20)から延長されている一対の銅管(40)である往路(31)及び復路(32)に、断熱材(41)を巻き付けることにより結束させ、予め壁面(W)に形成されている貫通孔(H)に室外から室内側へ挿通させる。
前記貫通孔(H)としては、新規に設ける必要はなく、例えば、図４に示すように、エアコン(5)の電気コード(50)等が先に挿通されている既設のものでよい。
【００３５】
この実施の形態の温水パイプは、２本の銅管(40)を断熱材(41)で結束させただけの構成であり、従来の温水コンセントのケース体を貫通孔の開放端に固定するためのスリーブを必要としないから、前記エアコン(5)の電気コード(50)等と同時に既設の貫通孔(H)を挿通させることが可能である。
【００３６】
前記銅管(40)は、図３に示すように、断熱材(41)で被覆された状態のまま、貫通孔(H)の室内側の開放端で、下方へ強制的に屈曲させられると共に、その先端の各々にホースエンド部(42)を接続させ、これに、それぞれゴム管(28)(29)を抜け止め状態に接続させると共に、蛇腹管(43)を被覆させる。
【００３７】
一方、室内側においては、ケース体(11)を、室内側に設置させる放熱器(2)の設置位置との関係から壁面(W)上において最も好ましい箇所に添設させ、前記固定半体(11a)を壁面(W)に、木ねじ又はコンクリート用ネジでネジ止めする。そして、前記固定半体(11a)にコンセント本体(10)を組み付ける。
【００３８】
前記ケース体(11)の固定位置と、前記貫通孔(H)の形成位置とが離れて位置する場合でも、図４に示すように、蛇腹管(43)を被覆させた状態のゴム管(28)(29)を所定の方向に屈曲させると共に、その先端をコンセント本体(1)のケース体(11)の上方に位置させ、前記コンセント本体(10)のホースエンド部(18)(19)に接続させる。このとき、前記ゴム管(28)(29)を被覆している蛇腹管(43)の複数の所定箇所に固定具(44)を具備させ、その背面側の固定半体(44a)を壁面(W)に固定させれば蛇腹管(43)を壁面(W)上に沿って固定することができ、室内において蛇腹管(43)が邪魔になることがなく、又、蛇腹管(43)の継ぎ目に前記固定具(44)を被覆させれば、一層美観の良いものとなる。
【００３９】
その後、固定半体(11a)に被覆半体(11b)を被覆させると、前記蛇腹管(43)は、ケース体(11)の上方開放部(51)に挟持される態様となり、その後、被覆半体(11b)の表面側にカバー板(12)を添設させて、前記固定半体(11a)に固定させる。そして、蓋板(13)をスライド自在に取付けることにより、温水コンセント(1)の取付けが完了する。
【００４０】
この温水コンセント(1)の蓋板(13)を上方へスライドさせて開放させ、放熱器(2)から延長している往路(21)と復路(22)からなる温水ホースの先端に装備させたプラグ体(4)の包囲筒(26)を、カバー板(12)の開口(14)に差し込んで、プラグ筒部(23)(24)をコンセント本体(10)の温水接続筒(15)(16)に接続させれば、室外側の温水配管と室内側の温水ホースが連通し、加熱器(20)と放熱器(2)との間で温水が循環することとなる。そして、プラグ体(4)を取外すことにより、プラグ筒部(23)(24)と温水接続筒(15)  (16)との弁体は閉弁し、蓋板(13)を下方へスライドさせて温水コンセント(1)を閉塞させておけば良い。
【００４１】
尚、上記実施の形態では、壁面に設置式の温水コンセントについて説明したが、床面設置式のものについても同様に使用することができることは言うまでもない。
【図面の簡単な説明】
【図１】本発明の実施の形態の本願発明の実施の形態における温水コンセントの分解斜視図。
【図２】本発明の実施の形態の温水コンセントを室内側壁面に添設固定させると共に、プラグ体を接続させた状態を示す断面図。
【図３】室外に設置されている熱源器から延長して本発明の実施の形態の温水コンセントに接続される温水パイプの説明図。
【図４】本発明の実施の形態の温水コンセントの使用状態を示す説明図。
【図５】従来の温水循環回路の概略図。
【図６】従来の温水コンセントの一例を示す説明図。
【符号の説明】
(1) ・・・・・・・温水コンセント
(11)・・・・・・・ケース体
(15)(16)・・・・・内配管接続筒部（温水接続筒）
(18)(19)・・・・・外配管接続筒部（ホースエンド部）
(2) ・・・・・・・放熱器
(20)・・・・・・・熱源器
(21)(22)・・・・・温水ホース（往路・復路）
(28)(29)・・・・・可撓管（ゴム管）
(31)(32)・・・・・温水パイプ（往路・復路）
(40)・・・・・・・銅管
(52)・・・・・・・第２開口（前方開放部）
(51)・・・・・・・第１開口（上方開放部）
(H) ・・・・・・・貫通孔
(W) ・・・・・・・壁
【図１】
0003701933.tif 000002
【図２】
0003701933.tif 000003
【図３】
0003701933.tif 000004
【図４】
0003701933.tif 000005
【図５】
0003701933.tif 000006
【図６】
0003701933.tif 000007